(57)【要約】【課題】電力損失が小さく回路構成が簡単な送信装置を提供すること。【解決手段】２つの出力ポートの各々に接続される２つのアンテナの両方から信号を送出する２アンテナ形態及び２つのアンテナの片方のみから信号を送出する１アンテナ形態のいずれかに切り替え可能な送信装置は、２アンテナ形態の場合は２つの入力ポートに入力された各入力信号をそのまま出力し、１アンテナ形態の場合は、２つの入力ポートに入力された入力信号のいずれか一方を出力するか、２つの入力信号を合成して出力する入力信号切替部と、入力信号切替部から出力された信号を電力等分して、互いに位相が９０度ずれた信号を２つの出力端子から出力する第１ハイブリッドカプラーと、第１ハイブリッドカプラーの２つの出力端子から出力された各信号を増幅する増幅部と、増幅部で増幅された各信号を電力等分して、互いに位相が９０度ずれた信号を２つの出力端子から出力する第２ハイブリッドカプラーとを備える。【選択図】図１
2014060680.tif 000002
【特許請求の範囲】
【請求項１】
２つの出力ポートの各々に接続される２つのアンテナの両方から信号を送出する２アンテナ形態及び前記２つのアンテナの片方のみから信号を送出する１アンテナ形態のいずれかに切り替え可能な送信装置であって、
前記２アンテナ形態の場合は２つの入力ポートに入力された各入力信号をそのまま出力し、前記１アンテナ形態の場合は、前記２つの入力ポートに入力された入力信号のいずれか一方を出力するか、前記２つの入力信号を合成して出力する入力信号切替部と、
前記入力信号切替部から出力された信号を電力等分して、互いに位相が９０度ずれた信号を２つの出力端子から出力する第１ハイブリッドカプラーと、
前記第１ハイブリッドカプラーの前記２つの出力端子から出力された各信号を増幅する増幅部と、
前記増幅部で増幅された各信号を電力等分して、互いに位相が９０度ずれた信号を２つの出力端子から出力する第２ハイブリッドカプラーと、を備え、
前記第２ハイブリッドカプラーの前記２つの出力端子が前記２つの出力ポートにそれぞれ対応することを特徴とする送信装置。
【請求項２】
請求項１に記載の送信装置であって、
前記入力信号切替部は、前記２つの入力ポートに入力された入力信号のいずれか一方を出力する場合、出力する信号の電力レベルを前記入力信号の電力レベルの倍に増幅して出力することを特徴とする送信装置。
【請求項３】
請求項１又は２に記載の送信装置であって、
前記第１ハイブリッドカプラーは、前記入力信号切替部から出力された信号を電力等分した後の各信号の周波数特性を調整する周波数特性調整部を有することを特徴とする送信装置。
【請求項４】
２つの出力ポートの各々にアンテナが接続される送信機の信号送出形態制御装置であって、
前記２つのアンテナの両方から信号を送出する場合は、２つの入力ポートに入力された各入力信号をそのまま出力し、前記２つのアンテナの片方のみから信号を送出する場合は、前記２つの入力ポートに入力された入力信号のいずれか一方を出力するか、前記２つの入力信号を合成して出力する入力信号切替部と、
前記入力信号切替部から出力された信号を電力等分して、互いに位相が９０度ずれた信号を２つの出力端子から出力するハイブリッドカプラーと、
を備えたことを特徴とする信号送出形態制御装置。
【発明の詳細な説明】
【技術分野】
【０００１】
本発明は、２つのアンテナの両方から信号を送出する２アンテナ形態及び片方のアンテナのみから信号を送出する１アンテナ形態のいずれかに切り替え可能な送信装置及び信号送出形態制御装置に関する。
【背景技術】
【０００２】
図１０（ａ）及び（ｂ）は、ＲＦスイッチを用いて動作アンテナ数を切り替える従来の構成を示す回路図及び概念図である。図１０（ａ）及び（ｂ）に示した出力ポートｙ１，ｙ２には図示しない送信アンテナがそれぞれ接続される。図１０（ａ）は、２つの送信アンテナが利用される場合の構成及びその概念を示す図である。一方、図１０（ｂ）は、１つの送信アンテナが利用される場合の構成及びその概念を示す図である。図中のＲＦスイッチ（高周波スイッチ）に対するスイッチング操作を行うことで、図１０（ａ）に示した構成又は図１０（ｂ）に示した構成のいずれかに切り替えれば、動作アンテナ（信号を送出するアンテナ）の数を１つ又は２つに設定できる。
【先行技術文献】
【特許文献】
【０００３】
【特許文献１】特開平４−２２７１０８号公報
【特許文献２】特許第４０６３６１２号公報
【特許文献３】特許第３６６５１６５号公報
【発明の概要】
【発明が解決しようとする課題】
【０００４】
図１０（ａ）及び（ｂ）に示した構成では、アンプの入力側に３つのＲＦスイッチ、出力側に２つのＲＦスイッチが設けられ、計５つのＲＦスイッチが設けられている。信号の出力経路上に位置するＲＦスイッチでは、その接点において電力損失が発生する。また、回路基板上でＲＦスイッチと他の構成要素をつなぐためのラインでも電力損失が発生する。さらに、ＲＦスイッチの設置数が多ければその分だけ部品点数が増加するため、回路規模及びコストが共に大きくなる。したがって、ＲＦスイッチの数は少ない方が望ましい。
【０００５】
本発明の目的は、電力損失が小さく回路構成が簡単な送信装置及び信号送出形態制御装置を提供することである。
【課題を解決するための手段】
【０００６】
本発明は、２つの出力ポートの各々に接続される２つのアンテナの両方から信号を送出する２アンテナ形態及び前記２つのアンテナの片方のみから信号を送出する１アンテナ形態のいずれかに切り替え可能な送信装置であって、前記２アンテナ形態の場合は２つの入力ポートに入力された各入力信号をそのまま出力し、前記１アンテナ形態の場合は、前記２つの入力ポートに入力された入力信号のいずれか一方を出力するか、前記２つの入力信号を合成して出力する入力信号切替部と、前記入力信号切替部から出力された信号を電力等分して、互いに位相が９０度ずれた信号を２つの出力端子から出力する第１ハイブリッドカプラーと、前記第１ハイブリッドカプラーの前記２つの出力端子から出力された各信号を増幅する増幅部と、前記増幅部で増幅された各信号を電力等分して、互いに位相が９０度ずれた信号を２つの出力端子から出力する第２ハイブリッドカプラーと、を備え、前記第２ハイブリッドカプラーの前記２つの出力端子が前記２つの出力ポートにそれぞれ対応する送信装置を提供する。
【０００７】
上記送信装置では、前記入力信号切替部は、前記２つの入力ポートに入力された入力信号のいずれか一方を出力する場合、出力する信号の電力レベルを前記入力信号の電力レベルの倍に増幅して出力する。
【０００８】
上記送信装置では、前記第１ハイブリッドカプラーは、前記入力信号切替部から出力された信号を電力等分した後の各信号の周波数特性を調整する周波数特性調整部を有する。
【０００９】
本発明は、２つの出力ポートの各々にアンテナが接続される送信機の信号送出形態制御装置であって、前記２つのアンテナの両方から信号を送出する場合は、２つの入力ポートに入力された各入力信号をそのまま出力し、前記２つのアンテナの片方のみから信号を送出する場合は、前記２つの入力ポートに入力された入力信号のいずれか一方を出力するか、前記２つの入力信号を合成して出力する入力信号切替部と、前記入力信号切替部から出力された信号を電力等分して、互いに位相が９０度ずれた信号を２つの出力端子から出力するハイブリッドカプラーと、を備えた信号送出形態制御装置を提供する。
【発明の効果】
【００１０】
本発明によれば、電力損失が小さく回路構成が簡単な送信装置及び信号送出形態制御装置を提供できる。
【図面の簡単な説明】
【００１１】
【図１】第１の実施形態の送信装置の構成を示すブロック図
【図２】（ａ）及び（ｂ）は、アンテナ数切替部１３の内部構成の一例を示す回路図
【図３】（ａ）及び（ｂ）は、アンテナ数切替部１３の内部構成の他の例を示す回路図
【図４】第２の実施形態の送信装置の構成の一例を示すブロック図
【図５】第２の実施形態の送信装置の構成の他の例を示すブロック図
【図６】第３の実施形態の送信装置の構成を示すブロック図
【図７】イコライザ機能付き入力ハイブリッドカプラー６５におけるＦＩＲフィルタの配置を示す図
【図８】第４の実施形態の送信装置の構成の一例を示すブロック図
【図９】第４の実施形態の送信装置の構成の他の例を示すブロック図
【図１０】（ａ）及び（ｂ）は、ＲＦスイッチを用いて動作アンテナ数を切り替える従来の構成を示す回路図及び概念図
【発明を実施するための形態】
【００１２】
以下、本発明の実施形態について、図面を参照して説明する。
【００１３】
（第１の実施形態）
図１は、第１の実施形態の送信装置の構成を示すブロック図である。図１に示すように、第１の実施形態の送信装置は、入力ポート１１１，１１２と、アンテナ数切替部１３と、入力ハイブリッドカプラー１５と、パワーアンプ１７１，１７２と、出力ハイブリッドカプラー１９と、出力ポート２１１，２１２とを備える。なお、入力ポート１１１，１１２、アンテナ数切替部１３及び入力ハイブリッドカプラー１５は、図１に点線で示す信号送出形態制御装置１００を構成する。信号送出形態制御装置１００は、ＬＳＩ等によって１チップ化可能である。
【００１４】
入力ポート１１１，１１２には、本実施形態の送信装置が送信する信号が入力される。また、出力ポート２１１，２１２には図示しないアンテナがそれぞれ接続される。また、アンテナ数切替部１３には、出力ポート２１１，２１２に接続されたアンテナの両方から信号を送出するか、片方のみから信号を送出するかを指示するための信号（以下「切替指示信号」という）が入力される。
【００１５】
図２（ａ）及び（ｂ）は、アンテナ数切替部１３の内部構成の一例を示す回路図である。アンテナ数切替部１３は、図２（ａ）及び（ｂ）に示すように、利得変更スイッチ３１と、可変利得アンプ（ＶＧＡ：Variable Gain Amplifier）３３と、ＲＦスイッチ３５とを有する。
【００１６】
利得変更スイッチ３１は、切替指示信号に応じて、ＶＧＡ３３の増幅率を１倍（利得が０ｄＢ）又は２倍（利得が３ｄＢ）に設定する。ＶＧＡ３３は、利得変更スイッチ３１で設定された増幅率に従って、入力ポート１１１に入力された信号ｘ１を１倍又は２倍の増幅率で増幅する。ＲＦスイッチ３５は、入力ポート１１２に入力された信号ｘ２をアンテナ数切替部１３から出力するか否かを切り替える。
【００１７】
図２（ａ）は、出力ポート２１１，２１２に接続されたアンテナの両方から信号を送出する場合の構成を示す図である。図２（ａ）に示すように、両方のアンテナから信号を送出する場合、ＶＧＡ３３の増幅率は１に設定されるため、入力ポート１１１に入力された信号ｘ１はそのままの電力レベルで信号ｓ１として出力される。また、入力ポート１１２に入力された信号ｘ２もそのままの電力レベルで信号ｓ２として出力される。なお、信号ｘ１の電力レベルと信号ｘ２の電力レベルは略同じであるため、この場合に出力される信号ｓ１，ｓ２の各電力レベルは略同じである。
【００１８】
一方、図２（ｂ）は、出力ポート２１１，２１２に接続されたアンテナの片方のみから信号を送出する場合の構成を示す図である。図２（ｂ）に示すように、片方のアンテナからのみ信号を送出する場合、ＶＧＡ３３の増幅率は２に設定されるため、入力ポート１１１に入力された信号ｘ１が略２倍に増幅された電力レベルの信号ｓ１が出力される。入力ポート１１２に入力された信号ｘ２は出力されないため、信号ｓ２の電力レベルは略０である。すなわち、信号ｓ２はアンテナ数切替部１３から出力されない。
【００１９】
なお、アンテナ数切替部１３は図２に示した構成の他、図３（ａ）及び（ｂ）に示した内部構成であっても良い。なお、図３（ａ）は、出力ポート２１１，２１２に接続されたアンテナの両方から信号を送出する場合の構成を示す図であり、図３（ｂ）は、出力ポート２１１，２１２に接続されたアンテナの片方のみから信号を送出する場合の構成を示す図である。図３（ａ）及び（ｂ）に示した内部構成のアンテナ数切替部１３では、片方のアンテナからのみ信号を送出する場合、図３（ｂ）に示すように、入力ポート１１１に入力された信号ｘ１と入力ポート１１２に入力された信号ｘ２を合成した信号ｓ１が出力される。信号ｘ１の電力レベルと信号ｘ２の電力レベルは略同じであるため、図３（ｂ）に示した信号ｓ１の電力レベルは、図２（ｂ）に示した信号ｓ１の電力レベルと略同じである。
【００２０】
入力ハイブリッドカプラー１５は、「３ｄＢハイブリッド」又は「９０°ハイブリッド」とも称され、以下の式（１）に示す特性を有する。なお、式（１）の右辺に示される変数ｓ１，ｓ２は入力ハイブリッドカプラー１５に入力される信号であり、左辺に示される変数ｚ１，ｚ２は入力ハイブリッドカプラー１５から出力される信号である。
【００２１】
【数１】
2014060680.tif 000003
【００２２】
パワーアンプ１７１，１７２は、入力ハイブリッドカプラー１５から出力された信号ｚ１，ｚ２をそれぞれ所定の利得で増幅する。パワーアンプ１７１の利得とパワーアンプ１７２の利得は同じである。
【００２３】
出力ハイブリッドカプラー１９は、「３ｄＢハイブリッド」又は「９０°ハイブリッド」とも称され、以下の式（２）に示す特性を有する。なお、式（２）の右辺に示される変数ｚ１，ｚ２は出力ハイブリッドカプラー１９に入力される信号であり、左辺に示される変数ｙ１，ｙ２は出力ハイブリッドカプラー１９から出力される信号である。出力ハイブリッドカプラー１９の特性は、入力ハイブリッドカプラー１５の特性と同じである。
【００２４】
【数２】
2014060680.tif 000004
【００２５】
以上説明した構成の本実施形態の送信装置においては、入力ハイブリッドカプラー１５と出力ハイブリッドカプラー１９が直列に接続されているため、これら２つのハイブリッドカプラーを併せた特性は、以下の式（３）によって示される。
【００２６】
【数３】
2014060680.tif 000005
【００２７】
上述したように、出力ポート２１１，２１２に接続されたアンテナの両方から信号を送出する場合、アンテナ数切替部１３からは同じ電力レベルの信号ｓ１，ｓ２が出力される。したがって、出力ポート２１１には、信号ｓ２から位相が２７０度ずれて増幅された信号ｙ１が入力され、出力ポート２１２には、信号ｓ１から位相が２７０度ずれて増幅された信号ｙ２が入力される。その結果、両方のアンテナからはそれぞれ同じ電力レベルの信号が出力される。
【００２８】
一方、出力ポート２１１，２１２に接続されたアンテナの片方のみから信号を送出する場合、アンテナ数切替部１３から信号ｓ１は出力されるが、信号ｓ２は出力されない。これを式（３）に示した関係式にあてはめると、以下に示す式（４）となる。式（４）に示すように、出力ポート２１１には信号が入力されず、出力ポート２１２には、信号ｓ１から位相が２７０度ずれて増幅された信号ｙ２が入力される。
【００２９】
【数４】
2014060680.tif 000006
【００３０】
両方のアンテナから信号を送出する場合の送信装置の出力電力は、信号ｙ１，ｙ２の各電力レベルの合計である。一方、片方のアンテナからのみ信号を送出する場合の送信装置の出力電力は、式（４）に示すように、信号ｙ２の電力レベルである。しかし、上述したように、片方のアンテナからのみ信号を送出する場合では、信号ｓ１の電力レベルは、アンテナ数切替部１３によって、信号ｘ１の倍に増幅された値、又は信号ｘ１と信号ｘ２の各電力レベルを足した値に増大される。したがって、本実施形態の送信装置が片方のアンテナからのみ信号を送出する場合であっても、両方のアンテナから信号を送出する場合と同じ電力レベルで信号を送出する。
【００３１】
また、両方のアンテナから信号を送出する場合のパワーアンプ１７１，１７２の入力電力は、どちらも信号ｓ１，ｓ２の平均電力レベルに等しい。一方、片方のアンテナからのみ信号を送出する場合のパワーアンプ１７１，１７２の入力電力は、信号ｓ１の半分の電力レベルである。しかし、上述したように、片方のアンテナからのみ信号を送出する場合では、信号ｓ１の電力レベルは、アンテナ数切替部１３によって、信号ｘ１の倍に増幅された値、又は信号ｘ１と信号ｘ２の各電力レベルを足した値に増大される。したがって、本実施形態の送信装置が片方のアンテナからのみ信号を送出する場合であっても、パワーアンプ１７１，１７２の入力電力は両方のアンテナから信号を送出する場合と同じ電力レベルである。
【００３２】
以上説明したように、本実施形態の送信装置には、パワーアンプ１７１，１７２の出力段側にＲＦスイッチが設けられていない。また、パワーアンプ１７１，１７２の入力段側には、ＲＦスイッチ３５を含むアンテナ数切替部１３が設けられているが、送信装置が有するＲＦスイッチはこのＲＦスイッチ３５のみである。したがって、本実施形態の送信装置では、電力損失が発生する箇所が少ないため消費電力を低減できる。また、ＲＦスイッチの数が少ないことによる回路構成の単純化及びコストの低減も実現できる。
【００３３】
特に、パワーアンプ１７１，１７２の出力段側では増幅信号を処理するための部品を用いる必要がある。この部品がＲＦスイッチの場合、当該ＲＦスイッチにて発生する電力損失は大きい。しかし、本実施形態では、パワーアンプ１７１，１７２の出力段側にＲＦスイッチを設ける必要がないため、電力損失の低減効果が大きい。また、増幅信号を処理可能な部品の体格は大きいため、回路規模が大きくなりがちである。しかし、本実施形態では、パワーアンプ１７１，１７２の出力段側にＲＦスイッチを設ける必要がないため、回路規模を小さくできる。
【００３４】
また、出力ポート２１１，２１２に接続されたアンテナの両方を利用するか片方のみを利用するかの選択は、アンテナ数切替部１３において利得変更スイッチ３１及びＲＦスイッチ３５を切り替えれば行われる。このように、動作アンテナ数の切り替えを簡単に行うことができる。
【００３５】
（第２の実施形態）
図４は、第２の実施形態の送信装置の構成の一例を示すブロック図である。図４に示すように、第２の実施形態の送信装置は、第１の実施形態の送信装置が備える構成要素に加えて、入力ハイブリッドカプラー１５とパワーアンプ１７１，１７２の間に歪補償回路（ＤＰＤ：Digital PreDistortion）５１１，５１２を備える。本実施形態では、入力ハイブリッドカプラー１５から出力される信号ｚ１はＤＰＤ５１１に入力され、信号ｚ２はＤＰＤ５１２に入力される。また、ＤＰＤ５１１にはパワーアンプ１７１が出力した増幅信号が入力され、ＤＰＤ５１２にはパワーアンプ１７２が出力した増幅信号が入力される。
【００３６】
ＤＰＤ５１１，５１２は、フィードバック入力された増幅信号に基づいて、パワーアンプ１７１，１７２における歪特性を推定し、入力ハイブリッドカプラー１５から入力された信号に当該歪特性とは逆特性の歪みを与える。その結果、パワーアンプ１７１，１７２は歪みのない増幅信号を出力する。
【００３７】
このように、本実施形態によれば、パワーアンプ１７１，１７２によって増幅する際の歪特性の影響がＤＰＤ５１１，５１２によって補償される。このため、送信装置から送信する信号の品質を改善できる。また、パワーアンプ１７１，１７２の効率を向上できる。
【００３８】
なお、図５に示すように、ＤＰＤ５１１には出力ハイブリッドカプラー１９から出力された信号ｙ１をフィードバック入力し、ＤＰＤ５１２には出力ハイブリッドカプラー１９から出力された信号ｙ２をフィードバック入力しても良い。この場合、ＤＰＤ５１１，５１２は、パワーアンプ１７１，１７２だけでなく出力ハイブリッドカプラー１９も含めた歪特性を推定し、入力ハイブリッドカプラー１５から入力された信号に当該歪特性とは逆特性の歪みを与える。したがって、パワーアンプ１７１，１７２の歪特性と出力ハイブリッドカプラー１９の歪特性を併せた歪特性の影響がＤＰＤ５１１，５１２によって補償される。なお、フィードバック入力を共通化しても良い。この場合、フィードバック入力のための回路規模を縮小できる。
【００３９】
（第３の実施形態）
図６は、第３の実施形態の送信装置の構成を示すブロック図である。図６に示すように、第３の実施形態の送信装置は、第１の実施形態の送信装置が備える入力ハイブリッドカプラー１５の代わりに、イコライザ機能付き入力ハイブリッドカプラー６５を備える。他の構成は、第１の実施形態の送信装置と同様である。
【００４０】
イコライザ機能付き入力ハイブリッドカプラー６５は、以下の式（５）に示す特性を有する。なお、当該特性は、第１の実施形態で説明した入力ハイブリッドカプラー１５の入出力ポート間の信号経路に図７に示すＦＩＲ（Finite Impulse Response）フィルタを配置することで実現される。これらＦＩＲフィルタによって、イコライザ機能付き入力ハイブリッドカプラー６５から出力される信号ｚ１，ｚ２の周波数特性が調整される。なお、ＦＩＲフィルタに限らずＩＩＲ（Infinite Impulse Response）フィルタであっても良い。
【００４１】
【数５】
2014060680.tif 000007
【００４２】
本実施形態によれば、出力ハイブリッドカプラー１９の周波数特性に合わせて、イコライザ機能付き入力ハイブリッドカプラー６５において予め周波数特性を調整することができる。その結果、送信装置から所望の信号を送出できる。なお、本実施形態の送信装置が狭帯域システムで用いられる場合、イコライザ機能付き入力ハイブリッドカプラー６５のイコライザ機能を複素乗算器によって実現しても良い。
【００４３】
（第４の実施形態）
図８は、第４の実施形態の送信装置の構成の一例を示すブロック図である。図８に示すように、第４の実施形態の送信装置は、第１の実施形態の送信装置が備える構成要素に加えて、入力ハイブリッドカプラー１５とパワーアンプ１７１，１７２の間にピーク抑圧回路（ＣＦＲ：Crest Factor Reduction）７１１，７１２を備える。本実施形態では、入力ハイブリッドカプラー１５から出力される信号ｚ１はＣＦＲ７１１に入力され、信号ｚ２はＣＦＲ７１２に入力される。
【００４４】
ＣＦＲ７１１，７１２は、入力ハイブリッドカプラー１５から出力された信号ｚ１，ｚ２のピークを低減する。その結果、パワーアンプ１７１，１７２に入力される信号の振幅幅は小さくなるため、パワーアンプ１７１，１７２をより効率の良い領域で動作させることができ、パワーアンプ１７１，１７２での消費電力を低減できる。
【００４５】
このように，本実施形態によれば、パワーアンプ１７１，１７２の効率がＣＦＲ７１１，７１２のピーク低減によって向上する。このため、送信装置の消費電力を低減できる。なお、図９に示すように、ＣＦＲ７１１，７１２を入力ハイブリッドカプラー１５の入力段側に設けても良い。この場合、切替指示信号に応じてＣＦＲ７１１のピーク低減率が可変である必要がある。すなわち、第１の実施形態で説明したように、片方のアンテナのみから信号を送出する場合にアンテナ数切替部１３から出力される信号ｓ１の電力レベルは、両方のアンテナから信号を送出する場合よりも高い。したがって、片方のアンテナのみから信号を送出する場合には、ＣＦＲ７１１のピーク低減率を上げる。
【００４６】
上記説明した第２〜第４の実施形態の各構成を組み合わせても良い。すなわち、送信装置は、ＤＰＤ５１１，５１２、イコライザ機能付き入力ハイブリッドカプラー６５及びＣＦＲ７１１，７１２を備えても良い。この場合、ＤＰＤ５１１，５１２へのフィードバック入力とイコライザ機能付き入力ハイブリッドカプラー６５へのフィードバック入力を共通化しても良い。
【００４７】
また、上記実施形態では、図１に示した信号送出形態制御装置１００の出力段側に、パワーアンプ１７１，１７２、出力ハイブリッドカプラー１９及び出力ポート２１１，２１２が設けられている。但し、動作アンテナ数を切り替えない送信装置の場合、信号送出形態制御装置１００の出力段側には、パワーアンプ１７１，１７２と出力ポート２１１，２１２のみを設ければ良い。
【産業上の利用可能性】
【００４８】
本発明に係る送信装置は、電力損失が小さく回路構成が簡単な送信機等として有用である。
【符号の説明】
【００４９】
１１１，１１２  入力ポート
１３  アンテナ数切替部
１５  入力ハイブリッドカプラー
１７１，１７２  パワーアンプ
１９  出力ハイブリッドカプラー
２１１，２１２  出力ポート
１００  信号送出形態制御装置
３１  利得変更スイッチ
３３  可変利得アンプ（ＶＧＡ）
３５  ＲＦスイッチ
５１１，５１２  歪補償回路（ＤＰＤ）
６５  イコライザ機能付き入力ハイブリッドカプラー
７１１，７１２  ピーク抑圧回路（ＣＦＲ）
【図１】
2014060680.tif 000008
【図２】
2014060680.tif 000009
【図３】
2014060680.tif 000010
【図４】
2014060680.tif 000011
【図５】
2014060680.tif 000012
【図６】
2014060680.tif 000013
【図７】
2014060680.tif 000014
【図８】
2014060680.tif 000015
【図９】
2014060680.tif 000016
【図１０】
2014060680.tif 000017